(57)【特許請求の範囲】
【請求項１】
切断刃を備える複数のホルダーがスケール目盛を有する取付軸に移動可能にして取り付けられ、かつ、前記ホルダーが前記取付軸に対する位置決め手段を備えたスリッタの切断装置において、前記ホルダーそれぞれは、取付軸側のスケールに重なる透明、又は半透明材からなり前記取付軸側のスケールの目盛が目視可能な目盛板を備えていることを特徴とするスリッタの切断装置。
【発明の詳細な説明】
【０００１】
【発明の属する技術分野】
本発明はスリッタにおける切断刃を備える切断装置に関するものであり、さらに詳しくは、広幅ウエブを長手方向にスリットして複数の細幅ウエブとして巻取るスリッタにおいて、その細幅ウエブの幅を変更するときにそれぞれの切断刃の位置決めを迅速且つ正確に行なえるようにした切断装置に関するものである。
【０００２】
【従来の技術】
従来、スリッタにおいては、広幅ウエブの幅方向に沿って複数の切断刃を所定幅毎に配置し、走行する広幅ウエブを長手方向にスリットしている。このときそれぞれの切断刃は、切断刃の取付軸上において軸方向に移動可能であって、かつ移動位置において固定可能に設け、製品である細幅ウエブの幅の変更が必要な場合には、その都度、それぞれの切断刃を軸方向に所定幅を移動させて位置決めを行なっている。
【０００３】
ところで、スリッタにおける切断方式には、溝付きローラの外周に巻き掛けられて走行する広幅ウエブを、切断刃を溝付きローラの溝に入れた状態でスリットする溝切り方式や、前後のローラ間を走行中の広幅ウエブを、切断刃により空中においてスリットする空中切り方式とがある。また、切断刃としてはレザー刃や丸刃が用いられる。
【０００４】
そして、従来は切断刃を軸方向に移動させて位置決めを行なうのは、作業者が手作業で行なうことが一般的であり、複数の切断刃を移動させて所定間隔を測定しながら精度よく配置して固定するには熟練を要するとともに、手間の掛かる作業である。このような作業を効率的に行なうために切断刃の取付軸上にスケールを貼り付けておき、作業者が目視で切断刃のホルダーなどをスケールの所定の目盛上へ移動させて固定する作業が行なわれている。
【０００５】
しかしながら、目視で切断刃のホルダーを目盛上へ移動させようとする場合、作業者が前記ホルダーの側端面をスケールの目盛に合わせようとしても、作業者の目線とホルダーの側端面とが揃った状態では、その側端面の下端部（スケールに一番近い部分）が見難くなり、そのため、作業者はホルダーの側端面を斜め上方から見ながらその側端面の下端部を合せざるを得ず、０．１〜０．５ｍｍ程度の誤差を生じることは避けられなかった。
【０００６】
上記のような設定誤差は、製品の仕上げ幅が規格外となるなどの問題を生じるとともに、例えば、上記溝付きローラの溝幅は１ｍｍ幅で、切断刃の厚みが０．２５ｍｍである溝切り方式においては、上記０．１〜０．５ｍｍ程度の誤差は切断刃が溝付きローラに接触するなどのトラブルの原因となるという問題があった。
そこで本発明は、上記の問題点に着目してなされたもので、スリッタにおいて簡単な治具を用いて、製品幅を変更するときに複数の切断刃の位置決めを迅速にかつ正確に行なうことのできる切断装置を提供することを目的とするものである。
【０００７】
【課題を解決するための手段】
本発明は上記課題を考慮してなされたもので、切断刃を備える複数のホルダーがスケール目盛を有する取付軸に移動可能にして取り付けられ、かつ、前記ホルダーが前記取付軸に対する位置決め手段を備えたスリッタの切断装置において、前記ホルダーそれぞれは、取付軸側のスケールに重なる透明、又は半透明材からなり前記取付軸側のスケールの目盛が目視可能な目盛板を備えていることを特徴とするスリッタの切断装置を提供して、上記課題を解消するものである。
【０００８】
【発明の実施の形態】
つぎに本発明を図１から図５に示す実施の形態に基づいて詳細に説明する。
図中１はロールａから繰り出された広幅ウエブｂを溝付きローラｃの外周に巻き掛けるようにして走行させ、その溝付きローラｃの位置で前記広幅ウエブｂを長手方向にスリットして、同一幅とした複数の細幅ウエブｄを得るようにしたスリッタを示していて、このスリッタ１にあっては、前記溝付きローラｃを通って送り出される細幅ウエブｄそれぞれは図示しない巻取軸にて巻き取られるようにしている。
【０００９】
上記スリッタ１において広幅ウエブｂをスリットするために溝付きローラｃに対応して切断装置２が設けられている。この切断装置２は、図２に示すように枢支点ｅ回りに所要角度で回動可能としたステー３に両端が支持されて広幅ウエブｂの幅方向に亘って位置する取付軸４とこの取付軸４の長手方向に間隔をおいて取り付けられてそれぞれが切断刃５を有している複数のホルダー６とからなるものである。
取付軸４は両端部、即ち上記ステー３への連結部分を除いた部分の断面形状が略四角形とされ、長手方向に亘って取付軸４の上部には面取り部７が設けられている。さらに、この取付軸４の前記面取り部７に対向する一つの側面８には取付軸４の長手方向に亘ってスケール９が備え付けられていて、後述する複数のホルダー６それぞれはこのスケール９の目盛９ａに位置合わせして固定する。
【００１０】
ホルダー６にはこのホルダー６を上記取付軸４に取り付けるための凹部１０が設けられており、前記凹部１０に取付軸４が入るようにして取り付け、凹部１０の開放部分側に螺着して取付軸４の上記面取り部７に当接可能な固定ネジ１１を緩めることでホルダー６が取付軸４の長手方向に沿って移動でき、その固定ネジ１１を締めることでホルダー６を取付軸４に対して固定できるようにしている。
図４は、前記凹部１０における取付軸４の側面８に摺接可能とした対応面部１２を示している。この対応面部１２には、取付軸４の前記側面８に連続するもう一つの側面１３（図において下方側）との対応面部１４に沿うようにして逃がし孔１５が穿設され、これによって、取付軸４の側面８との接触面積を小さくして前記固定ネジ１１を締め付けたときにガタ付きが生じないように図られている。
【００１１】
ホルダー６の上記凹部１０の反対側の部分（図において下方部分）は切断刃取付部分として構成されているものであり、切断刃５を止めネジ１６で固定したスライドプレート１７をホルダー６に移動可能にして配置し、定位置で回転する調整ネジ１８を前記スライドプレート１７に螺合させて、その調整ネジ１８の回転操作で一方向に前記切断刃５を移動調整可能としており、移動調整した後、一部分が切断刃５にかかる押さえ環１９を介して固定ネジ２０により固定するようにしている。そして、前記切断刃５の刃先は、上記ステー３が所要角度回動してホルダー６が溝付きローラｃに対応位置したときにその溝付きローラｃの溝部に僅かながら入り込めるように設けられている。
２１は上記切断刃５の刃先を保護するカバーであり、該カバー２１はホルダー６に回動可能にして取り付けられ、スリットする際には待機位置に移動させて切断刃５の刃先が表出するようにしている。
【００１２】
上記対応面部１２には、上記取付軸４のスケール９と重なるように位置させた目盛板２２が面一にして設けられ、凹部１０とは反対側からの取付ネジ２３により固定されている。そして、この前記目盛板２２が取り付けられたホルダー６では、目盛板２２の目盛２２ａの一部がスケール９の目盛９ａに重なった状態で、前記スケール９に直交する方向から目視できるように切り欠き部２４を設けている。そして、前記目盛板２２は透明、又は半透明材からなりものであり、スケール９と同じピッチの目盛２２ａが設定されている。
【００１３】
このように、ホルダー６にあっては、スケール９と重なってそのスケール９の目盛９ａと目盛板２２の目盛２２ａとが目視できることから、ホルダー６それぞれを取付軸４に所要の間隔を取りながら配置固定する際には、図５に示すように、例えば切断刃５の刃先位置に合わされているホルダー６の側面６ａを基準面とし、ホルダー６それぞれの側面６ａをスケール９上の所定の目盛位置に配した後、切り欠き部２４から見えるスケール９に面するようにしてそのスケール９の目盛９ａと目盛板２２の目盛２２ａとのズレ２５を調整する（ズレを無くす）ことで、スケール９の目盛９ａに正確に位置合わされ、その後上記固定ネジ１１を締め付けてホルダー６を取付軸４に固定すればよく、これによって隣接する切断刃５同士が正確に所定間隔２６（細幅ウエブの幅）で所望位置に適正に固定される。
【００１４】
【発明の効果】
以上説明したように、本発明によれば、切断刃を備える複数のホルダーがスケール目盛を有する取付軸に移動可能にして取り付けられ、かつ、前記ホルダーが前記取付軸に対する位置決め手段を備えたスリッタの切断装置において、前記ホルダーそれぞれは、取付軸側のスケールに重なる透明、又は半透明材からなり前記取付軸側のスケールの目盛が目視可能な目盛板を備えていることを特徴とするものである。このように、ホルダーそれぞれに、このホルダーを取り付ける取付軸のスケールの目盛を透視できる状態とした目盛板を備えているため、目盛板の目盛とスケールの目盛とのズレを無くすようにしてホルダーの位置調整することで切断刃が適正に位置合わせでき、切断刃の設定位置に対する誤差を極力小さくして、適正幅の細幅ウエブを得ることができる。さらに、従来のようにホルダーの側面部を斜め方向から局部的な部分を確認しながら位置合わせしなくとも、スケールを正面に見ることで、そのスケールと目盛板との目盛の並びがズレているか否かが簡単に目視でき、その目盛の並びのズレの有無を確認しながらホルダーの位置決めが適正に行なえるようになり、よって切断刃を迅速に所要位置に位置決めできるようになるなど、実用性に優れた効果を奏するものである。
【図面の簡単な説明】
【図１】本発明に係るスリッタの切断装置の一例を概略的に示す説明図である。
【図２】切断装置を取付軸断面方向から見た状態で示す説明図である。
【図３】スケールの正面側から見た状態を示す説明図である。
【図４】目盛板を示す説明図である。
【図５】取付軸に配置した複数のホルダーを概略的に示すもので、（ア）は取付軸とホルダーを示す説明図、（イ）は切り欠き部を拡大して示す説明図である。
【符号の説明】
１…スリッタ
２…切断装置
４…取付軸
５…切断刃
６…ホルダー
９…スケール
９ａ…目盛
１０…凹部
１２…対応面部
２２…目盛板
２２ａ…目盛
【図１】
0004641347.tif 000002
【図２】
0004641347.tif 000003
【図３】
0004641347.tif 000004
【図４】
0004641347.tif 000005
【図５】
0004641347.tif 000006